(57)【要約】【課題】シュリンクフィルムに包まれて製品化されている状態から、使用時にシュリンクフィルムを除去する際に、スパウトが押し下げられて内容物が吐出するのを効果的に回避することのできる押下げ防止構造を提供する。【解決手段】エアゾール容器１０の天面部に設けられたステム１５を囲んで取り付けた肩カバー１７の内側中空部分１９においてステム１５と連通して上下動可能に装着されたスパウト１２の押圧部１８がシュリンクフィルム１１を除去する際に押し下げられるのを防止する押下げ防止構造であって、押圧部１８の周縁部分３９の下面と肩カバー１７の上端部との間に介在して、拡開部４１を有する帯板リング形状のストッパー２０を、押圧部１８の周縁よりも外側に飛び出さないように填め込み、且つストッパー２０から下方に突出して設けた舌状係止片２１を、肩カバー１７の上端部を切り欠いて設けた係止凹部２２に係止する。【選択図】      図１
2004161347.tif 000002
【特許請求の範囲】
【請求項１】
エアゾール容器の容器本体の天面部に設けられたステムを囲んで取り付けた肩カバーの内側中空部分において前記ステムと連通して上下動可能且つ回転可能に装着されたスパウトの肩カバーよりも上方に配置された押圧部が、前記エアゾール容器がシュリンクフィルムに包まれて製品化されている状態から、使用時に該シュリンクフィルムをひねって除去する際に押し下げられるのを防止するスパウトの押下げ防止構造であって、
前記押圧部の周縁部分の下面と前記肩カバーの上端部との間に介在して、周方向の一部を拡開部として除去した帯板リング形状のストッパーを、前記押圧部の周縁よりも外側に飛び出さないように填め込み、且つ前記ストッパーの下端縁部から下方に突出して設けた舌状係止片を、前記肩カバーの上端部を下方に切り欠いて設けた係止凹部に係止するスパウトの押下げ防止構造。
【請求項２】
前記舌状係止片は、前記ストッパーの拡開部と反対側に配置して設けられており、前記係止凹部は、吐出位置における前記スパウトの突出ノズルと反対側に配置して設けられている請求項１記載のスパウトの押下げ防止構造。
【請求項３】
前記ストッパーの外周面には、滑止め用の凹凸が設けられている請求項１又は２に記載のスパウトの押下げ防止構造。
【発明の詳細な説明】
【０００１】
【発明の属する技術分野】
本発明は、スパウトの押下げ防止構造に関し、特にシュリンクフィルムに包まれて製品化された状態から、使用時にシュリンクフィルムをひねって除去する際にスパウトが押し下げられるのを防止するエアゾール容器におけるスパウトの押下げ防止構造に関する。
【０００２】
【従来の技術】
エアゾール容器は、容器本体の内部に内容物として薬剤、洗浄剤、毛髪剤等を噴射剤と共に封入し、容器本体の天面部を封止するマウンテンカップのバルブ内臓部に設けたバネによって付勢された状態で突出するステムを、スパウトを介して押し下げることにより、内容物をスパウトの吐出ノズルから例えば噴霧状又は泡状の液体として吐出させるものである。
【０００３】
また、このようなエアゾール容器として、スパウトを介してステムを押圧する際の操作のし易さや、容器の外観等を鑑みて、容器本体の天面部に設けられたステムを囲んで肩カバーを取り付け、この肩カバーによって囲まれる内側中空部分にステムと連通するスパウトを上下動可能に装着して、スパウトの押圧部を押圧しつつ吐出ノズルから内容物を吐出させるものも知られている。
【０００４】
さらに、エアゾール容器は、スパウトを介してステムを押圧することにより、内容物が噴射剤と共に瞬時に噴射されるものであるため、スパウトが誤って押圧されないように、例えば図６（ａ）に示すようなロック機構が設けられている。すなわち、図６（ａ）に示すロック機構は、肩カバー５０の上端部から下方に切り欠いた縦溝５１を形成すると共に、この縦溝５１の中間部分から横方向に延設してロック溝５２を形成する。一方、スパウト５３には、これの外周面から突出させてストッパーピン５４を設け、このストッパーピン５４を縦溝５１に配置してスパウト５３を上下動可能とした状態から、縦溝５１の中間部分でスパウト５３をひねってトッパピン５４をロック溝５２に係止することにより、スパウト５３が押し下げられないようにロックして、特に据え置きタイプのエアゾール容器における誤作動を解消するようにしたものである。
【０００５】
また、エアゾール容器とは異なり、吐出ノズル付押下げヘッドの天面を複数回押圧して上下動させることにより、容器内の内容物を液体吐出ポンプに吸引しつつ吐出ノズル付押下げヘッドの吐出孔から内容物を吐出させるポンプ容器において、吐出ノズル付押下げヘッドの押下げをロックする帯状ストッパーを、吐出ノズル付押下げヘッドとこの押下げヘッドを容器の口頸部に係止するキャップとの間に装着したロック機構も開示されている（例えば、特許文献１参照）。
【０００６】
【特許文献１】
特許第３１７２９９３号公報
【０００７】
【発明が解決しようとする課題】
しかしながら、図６（ａ）に示すエアゾール容器に設けたロック機構によれば、その使用時においては、特許第３１７２９９３号公報に開示された帯状ストッパー等の別部材を用いることなく、容易且つスムーズにスパウト５３の押し下げを防止できるようにロックしておくことが可能であるが、図６（ａ），（ｂ）に示すように、全体がシュリンクフィルム５５によって包まれて製品化されているエアゾール容器の場合、使用時にシュリンクフィルム５５を除去するべく、誤ってスパウト５３を肩カバー５０に対して相対的にひねるように回転させると、その回転によってストッパーピン５４がロック溝５２から外れると共に、スパウト５３の押圧部５６が破断する前のねじれたシュリンクフィルム５５によって押し下げられて、瞬時に内容物が吐出してしまう場合があり、周囲の物や手を汚してしまう場合がある。
【０００８】
本発明は、シュリンクフィルムに包まれて製品化された状態から、使用時にシュリンクフィルムをひねって除去する際に、スパウトが押し下げられて内容物が吐出するのを効果的に回避することのできるエアゾール容器におけるスパウトの押下げ防止構造を提供することを目的とする。
【０００９】
【課題を解決するための手段】
本発明は、エアゾール容器の容器本体の天面部に設けられたステムを囲んで取り付けた肩カバーの内側中空部分において前記ステムと連通して上下動可能且つ回転可能に装着されたスパウトの肩カバーよりも上方に配置された押圧部が、前記エアゾール容器がシュリンクフィルムに包まれて製品化されている状態から、使用時に該シュリンクフィルムをひねって除去する際に押し下げられるのを防止するスパウトの押下げ防止構造であって、前記押圧部の周縁部分の下面と前記肩カバーの上端部との間に介在して、周方向の一部を拡開部として除去した帯板リング形状のストッパーを、前記押圧部の周縁よりも外側に飛び出さないように填め込み、且つ前記ストッパーの下端縁部から下方に突出して設けた舌状係止片を、前記肩カバーの上端部を下方に切り欠いて設けた係止凹部に係止するスパウトの押下げ防止構造を提供することにより、上記目的を達成したものである。
【００１０】
【発明の実施の形態】
本発明の好ましい実施形態に係るスパウトの押下げ防止構造は、図１に示すように、内容物として例えば毛髪剤を収容するエアゾール容器１０において、当該エアゾール容器１０がシュリンクフィルム１１に包まれて製品化されている状態から、使用時にシュリンクフィルム１１をひねって除去する際に、スパウト１２が押し下げられて内容物が吐出してしまうのを（図６（ａ），（ｂ）参照）、効果的に回避できるように採用されたものである。
【００１１】
ここで、エアゾール容器１０は、図３にも示すように、容器本体１３の内部に噴射剤と共に内容物を封入し、容器本体１３の天面部を封止するマウンテンカップ１４のバルブ内臓部に設けたバネによって上方に付勢された状態で突出するステム１５を、スパウト１２を介して押し下げることにより、内容物をスパウト１２の吐出ノズル１６から例えば泡状の液体として吐出させるものである。また本実施形態によれば、エアゾール容器１０は、据え置きタイプの容器であって、容器本体１３の天面部に設けられたステム１５を囲んで肩カバー１７が取り付けられており、この肩カバー１７によって囲まれるこれの内側中空部分１９に、ステム１５と連通するスパウト１２を上下動可能に装着して、スパウト１２の肩カバー１７よりも上方に配置された押圧部１８を押圧しつつ吐出ノズル１６から内容物を吐出させるようになっている。
【００１２】
そして、本実施形態のスパウトの押下げ防止構造は、エアゾール容器１０のステム１５を囲んで取り付けた肩カバー１７の内側中空部分１９に上下動可能且つ回転可能に装着されたスパウト１２の押圧部１８が、エアゾール容器１０がシュリンクフィルム１１に包まれて製品化されている状態から、使用時にシュリンクフィルム１１をひねって除去する際に押し下げられるのを防止するための押下げ防止構造であって、図１示すように、押圧部１８の周縁部分３９の下面と肩カバー１７の上端部との間に介在して、周方向の一部を拡開部４１（図４参照）として除去した帯板リング形状のストッパー２０を、押圧部１８の周縁よりも外側に飛び出さないように填め込み、且つストッパー２０の下縁から下方に突出して設けた舌状係止片２１を、肩カバー１７の上端部を下方に切り欠いて設けた係止凹部２２に係止することによって構成されている。
【００１３】
本実施形態よれば、ステム１５を囲んで取り付けられる肩カバー１７は、合成樹脂成形体であって、図２（ａ），（ｂ）及び図３に示すように、容器本体１３のマウンテンカップ１４に固定される環状固定部２３と、環状固定部２３の周縁部分から略円筒形状に立ち上がる立上り壁部２４とからなり、立上り壁部２４の内側がスパウト１２を上下動可能に装着させる内側中空部分１９となっている。
【００１４】
また、吐出状態における吐出ノズル１６が配置される、肩カバー１７の立上り壁部２４の前面側には、図２（ａ）に示すように、この上端部から下方に切り欠いた前方縦溝２５が形成されていると共に、この前方縦溝２５の中間部分から横方向左側に延設して前方ロック溝２６が形成され、また前方縦溝２５の下端部分から横方向右側に延設して前方ガス抜き溝２７が形成されている。そして、前方縦溝２５には、後述するスパウト１２の外筒部２８の外周面から突出させた前方ストッパーピン２９を上下動可能に遊嵌させることができるようになっていると共に、中間部分でスパウト１２を左側にひねって前方ロック溝２６に前方ストッパーピン２９を係止することにより、スパウト１２を押し下げ不能な状態にロックすることができ、また下端部分でスパウト１２を右側にひねって前方ガス抜き溝２７に前方ストッパーピン２９を係止することにより、スパウト１２が押し下げられた状態に保持して、容器本体１３の内部に余ったガスのガス抜きを行うことができるようになっている。
【００１５】
一方、肩カバー１７の立上り壁部２４の後面側には、図２（ｂ）に示すように、これの上端部から下方に略半円形状に切り欠いて指入れ凹部３０が形成されていると共に、この指入れ凹部３０の下端部分からさらに下方に延設して後方縦溝３１が形成されている。また後方縦溝３１の中間部分から横方向左側に延設して後方ロック溝３２が形成され、後方縦溝３１の下端部分から横方向右側に延設して後方ガス抜き溝３３が形成されている。そして、後方縦溝３１には、後述するスパウト１２の外筒部２８の外周面から突出させた後方ストッパーピン３４を上下動可能に遊嵌させることができるようになっていると共に、中間部分でスパウト１２を左側にひねって後方ロック溝３２に後方ストッパーピン３４を係止することにより、スパウト１２を押し下げ不能な状態にロックすることができ、また下端部分でスパウト１２を右側にひねって後方ガス抜き溝３３に後方ストッパーピン３４を係止することにより、スパウト１２が押し下げられた状態に保持して、容器本体１３の内部に余ったガスのガス抜きを行うことができるようになっている。
【００１６】
ここで、本実施形態によれば、肩カバー１７の立上り壁部２４の後面側に略半円形状に形成された指入れ凹部３０は、据え置きタイプである本実施形態のエアゾール容器１０を、手で把持して使用する際に、容器１０の後ろ側からスパウト１２の押圧部１８を指でスムーズに押圧できるように、肩カバー１７の立上り壁部２４を切り欠いて形成したものであり、またこの指入れ凹部３０は、後述するストッパー２０の舌状係止片２１が係止される係止凹部２２を兼ねるものである。
【００１７】
また、本実施形態によれば、肩カバー１７の立上り壁部２４の前面側及び後面側の双方に、縦溝２５，３１、ロック溝２６，３２、ガス抜き溝２７，３３が各々設けられていて、スパウト１２の前後両側でストッパーピン２９，３４を各々上下に案内し、又は横方向にスライドさせて係止状態とするので、スパウト１２を移動させる操作を前面側及び後面側から支持しつつより安定した状態で行うことが可能になる。
【００１８】
本実施形態によれば、肩カバー１７の内側中空部分１９に上下動可能に装着されるスパウト１２は、合成樹脂成形体であって、図３に示すように、同心円状に配置された略円筒形状の内筒部３５及び外筒部２８と、これらの上端部を一体として覆う略円盤形状の押圧部１８とからなり、また押圧部１８には、当該押圧部１８から一体として前方に突出する吐出ノズル１６が連接配置されている。
【００１９】
内筒部３５は、その内側に、スパウト１２の中心軸に沿って縦方向に延設される内容物の垂直流路３６が形成されるもので、その下端部にエアゾール容器１０のステム１５が填め込まれることによって当該ステム１５と連通し、ステム１５から噴射される内容物を、垂直流路３６及びこれの上端部と接続する押圧部１８の内部に形成された吐出流路３７を介して送り出し、吐出ノズル１６から吐出させることができるようになっている。また内筒部３５の下端部にステム１５が填め込まれることにより、スパウト１２はステム１５によって支持され、ステム１５の付勢力に抗して押圧部１８を押し下げることにより、ステム１５から内容物を噴射させ、押圧部１８への押圧を解除した際には、ステム１５の付勢力によって上方に移動して、ステム１５からの内容物の噴射を遮断することができるようになっている。
【００２０】
外筒部２８は、その外径が肩カバー１７の内側中空部分１９の内径よりも僅かに小さい大きさに形成されており、肩カバー１７の立上り壁部２４の内面に沿ってその外側面をスライドさせつつ立上り壁部２４により案内させて、スパウト１２を安定した状態で肩カバー１７に対して上下方向及び回転方向に移動させることができるようになっている。また、外筒部２８の外周面には、前面側の吐出ノズル１６の下方に配置されて略円形ドラム形状の前方ストッパーピン２９が前方に突出して設けられていると共に、吐出ノズル１６の反対側の後面側には、略キノコ形状の後方ストッパーピン３４が後方に突出して設けられている。そして、前方ストッパーピン２９は、上下方向及び周方向に移動可能に前方縦溝２５に挿入配置され、後方ストッパーピン３４は、上下方向及び周方向に移動可能に後方縦溝３１に挿入配置されることになる（図２（ａ），（ｂ）参照）。
【００２１】
押圧部１８は、その周縁部分３９を外筒部２８の外側に張り出させて略円盤形状に設けられており、その外径が、肩カバー１７の立上り壁部２４の上端部における外径よりも僅かに小さくなっている。また押圧部１８には、吐出ノズル１６が前方に突出して連接配置されており、また押圧部１８の内部には、垂直流路３６の上端部から横方向に延設される吐出流路３７が、垂直流路３６と連通して吐出ノズル１６の吐出開口３８に至る長さで形成されている。そして、押圧部１８の外側に張り出した周縁部分３９の下面と、肩カバー１７の立上り壁部２４の上端部との間には、図１及び図２（ａ），（ｂ）に示すように、前方ストッパーピン２９及び後方ストッパーピン３４を各々前方ロック溝２６、後方ロック溝３２に係止してスパウト１２が押し下げられないようにした状態において、押圧部１８を押し下げ可能なストローク分の相当の幅の間隔が保持されると共に、この間隔部分に帯板リング形状のストッパー２０が填め込まれることにより、本実施形態のスパウトの押下げ防止構造が形成されることになる。
【００２２】
ストッパー２０は、図４及び図５（ａ）〜（ｃ）に示すように、合成樹脂成形体であって、内容物の吐出を確実に阻止できるように、押圧部１８の周縁部分３９の下面と、肩カバー１７の上端部との間の間隔部分と同等かこれよりも僅かに小さい幅の帯板４０を、外筒部２８の外径よりも僅かに大きな内径の円形リング形状に曲折加工すると共に、その周方向の一部を拡開部４１として例えば６０〜１７０度の角度範囲で除去した形状を有している。なお、拡開部４１を６０〜１７０度の角度範囲で除去することにより、ストッパー２０の自然脱落を効果的に防止でき、またストッパー２０を手で容易に着脱させることが可能になる。
【００２３】
また、本実施形態によれば、ストッパー２０の拡開部４１と対向する反対側に配置されて、ストッパー２０の下端縁部から下方に突出する舌状係止片２１が設けられている。この、舌状係止片２１は、吐出位置におけるスパウト１２の突出ノズル１６と反対側に配置されて肩カバー１７の後面側に形成した係止凹部２２に係止され、填め込まれたストッパー２０の回転移動を回避させる。
【００２４】
さらに、本実施形態によれば、拡開部４１と舌状係止片２１との間に位置するストッパー２０の両側部の外周面には、各々３本の突条を平行に並べて縦方向に延設配置することにより、滑止め用の凹凸４２が設けられている。この滑止め用の凹凸４２の部分でストッパー２０を把持することにより、押圧部１８の周縁部分３９の下面と肩カバー１７の上端部との間の間隔部分へのストッパー２０の着脱を、よりスムーズに行うことが可能になる。
【００２５】
本実施形態によれば、図１に示すように、上述の構成のエアゾール容器１０に対して、ストッパー２０を、これの拡開部４１を前方に向けた状態で、エアゾール容器１０の後方から押圧部１８の下面と肩カバー１７の上端部との間の間隔部分へ押し込めば、ストッパー２０の弾性変形により拡開部４１を拡開しつつ外筒部２８の外周面を乗り上げて、押圧部１８の周縁よりも外側に飛び出さない状態で当該間隔部分に容易且つスムーズにストッパー２０が装着されることになり、またストッパー２０の舌状係止片２１が、肩カバー１７の上端部を下方に切り欠いて設けた係止凹部２２に係止されることになる。しかる後に、公知の各種のシュリンク装置を用いて、例えば延伸ポリプロピレン等からなる透明、半透明、有色透明等のシュリンクフィルム１１を、エアゾール容器１０の全周を覆って包み込むようにして装着することにより、当該エアゾール容器１０が製品化されることになる。
【００２６】
そして、本実施形態のスパウトの押下げ防止構造によれば、シュリンクフィルム１１に包まれてエアゾール容器１０が製品化されている状態から、使用時にシュリンクフィルム１１をひねって除去する際に、シュリンクフィルム１１が容器１０の高さ方向に縮むことによりスパウト１２が押し下げられて内容物が吐出するのを効果的に回避することが可能になる。すなわち、本実施形態によれば、押圧部１８の周縁部分３９の下面と肩カバー１７の上端部との間に介在して帯板リング形状のストッパー２０が填め込まれているので、シュリンクフィルム１１を除去するべく、誤ってスパウト１２を肩カバー１７に対して相対的にひねるように回転させ、その回転によってストッパーピン２９，３４がロック溝２６，３２から外れたとしても、スパウト１２の押圧部１８の押し下げがストッパー２０によって確実に阻止されるので、押圧部１８を押し下げさせることなくシュリンクフィルム１１を破断させて、シュリンクフィルム１１を容易に取り除くことが可能になる。
【００２７】
また、本実施形態によれば、帯板リング形状のストッパー２０は、押圧部１８の周縁よりも外側に飛び出さないように填め込まれるので、製品化されたエアゾール容器１０を箱詰めする場合等において、エアゾール容器１０の上端部分をキャッパー等により把持する際のキャッパー適正を良好に保持することが可能になる。
【００２８】
さらに、本実施形態によれば、帯板リング形状のストッパー２０に設けた舌状係止片２１を、肩カバー１７の係止凹部２２に係止して、填め込まれたストッパー２０の回転移動を阻止するので、例えば多数の製品化されたエアゾール容器１０においてストッパー２０の拡開部４１が常に吐出ノズル１６の下方に位置するようにストッパー２０を取り付けておくことにより、多数のエアゾール容器１０に統一性を持たせ、これによって陳列等がなされたエアゾール容器１０の美感を向上させることが可能になる。
【００２９】
なお、本発明は上記実施形態に限定されることなく種々の変更が可能である。例えば舌状係止片は、ストッパーの拡開部と反対側に配置して設ける必要は必ずしもなく、また係止凹部は、吐出位置における突出ノズルと反対側に配置して設ける必要は必ずしもない。さらに、ストッパーの外周面には、滑止め用の凹凸を設ける必要は必ずしない。
【００３０】
【発明の効果】
本発明のスパウトの押下げ防止構造によれば、シュリンクフィルムに包まれて製品化されている状態から、使用時にシュリンクフィルムをひねって除去する際に、スパウトが押し下げられて内容物が吐出するのを効果的に回避することができる。
【図面の簡単な説明】
【図１】本発明の一実施形態に係るスパウトの押下げ防止構造を採用したエアゾール容器を示す側面図である。
【図２】本発明の一実施形態に係るスパウトの押下げ防止構造を採用したエアゾール容器の上半部分を示す、（ａ）は正面図、（ｂ）は背面図である。
【図３】本発明の一実施形態に係るスパウトの押下げ防止構造を採用したエアゾール容器の上半部分を示す断面図である。
【図４】帯板リング形状のストッパーの斜視図である。
【図５】帯板リング形状のストッパーの（ａ）は正面図、（ｂ）は側面図、（ｃ）は上面である。
【図６】（ａ）及び（ｂ）は、従来のエアゾール容器におけるスパウトのロック機構の説明図である。
【符号の説明】
１０  エアゾール容器
１１  シュリンクフィルム
１２  スパウト
１３  容器本体
１５  ステム
１６  吐出ノズル
１７  肩カバー
１８  押圧部
１９  肩カバーの内側中空部分
２０  帯板リング形状のストッパー
２１  舌状係止片
２２  係止凹部
２４  肩カバーの立上り壁部
２８  スパウトの外筒部
３５  スパウトの内筒部
３６  垂直流路
３７  吐出流路
３９  押圧部の周縁部分
４０  帯板
４１  ストッパーの拡開部
４２  滑止め用の凹凸
【図１】
2004161347.tif 000003
【図２】
2004161347.tif 000004
【図３】
2004161347.tif 000005
【図４】
2004161347.tif 000006
【図５】
2004161347.tif 000007
【図６】
2004161347.tif 000008